(57)【要約】【課題】  よりブラッシング効率が高い歯磨き具を提供すること。【解決手段】  ユーザの歯を磨くために可撓性を有する歯磨き部７と、歯磨き部７を固定する台座部５と、台座部５に接続されている把持部３と、を有し、歯磨き部７は、少なくとも、一方向における断面視で、中央部が側面部よりも台座部５側に低く形成されている。【選択図】  図２
2019024739.tif 000002
【特許請求の範囲】
【請求項１】
ユーザの歯を磨くために可撓性を有する歯磨き部と、
前記歯磨き部を固定する台座部と、
前記台座部に接続されている把持部と、を有し、
前記歯磨き部は、少なくとも、一方向における断面視で、中央部が側面部よりも前記台座部側に低く形成されている
歯磨き具。
【請求項２】
一方方向における断面視とは、前記把持部と前記台座部とをつなぐ方向に対して直角な平面における断面である
請求項１に記載の歯磨き具。
【請求項３】
前記歯磨き部は、中央部がそれを取り囲む全ての周辺部よりも前記台座部側に低く形成された、お椀状の形状をしている
請求項２に記載の歯磨き具。
【請求項４】
前記歯磨き部は、複数の毛形状の可撓性部材である毛部から形成されており、
前記歯磨き部は、
中央部の中央毛部と、
側面部の側面毛部と、を有し、
前記中央毛部は、前記側面毛部よりも、可撓性が低く形成されている
請求項１〜３いずれか１項に記載の歯磨き具。
【請求項５】
前記中央毛部は、前記側面毛部よりも、断面における断面積が小さく形成されている
請求項４に記載の歯磨き具。
【発明の詳細な説明】
【技術分野】
【０００１】
本発明は、歯磨き具に関する。歯磨き具は換言すると歯ブラシの上位概念である。
【背景技術】
【０００２】
特許文献１には、口内虫歯予防粉及び口内虫歯予防粉の製造方法の技術が開示されている。
【先行技術文献】
【特許文献】
【０００３】
【特許文献１】特開２０１７―８８５８０号公報
【発明の概要】
【発明が解決しようとする課題】
【０００４】
しかしながら、特許文献１に記載の方法においては、その使用の効果をより上げたいという要求がある。
また、よりブラッシング効率が高い歯磨き具が必要とされている。
【０００５】
本発明は、よりブラッシング効率が高い歯磨き具を提供することである。
【課題を解決するための手段】
【０００６】
本発明の第１の観点における歯磨き具は、ユーザの歯を磨くために可撓性を有する歯磨き部と、前記歯磨き部を固定する台座部と、前記台座部に接続されている把持部と、を有し、前記歯磨き部は、少なくとも、一方向における断面視で、中央部が側面部よりも前記台座部側に低く形成されている。
【０００７】
好適には、一方方向における断面視とは、前記把持部と前記台座部とをつなぐ方向に対して直角な平面における断面である。
【０００８】
好適には、前記歯磨き部は、中央部がそれを取り囲む全ての周辺部よりも前記台座部側に低く形成された、お椀状の形状をしている。
【０００９】
好適には、前記歯磨き部は、複数の毛形状の可撓性部材である毛部から形成されており、前記歯磨き部は、中央部の中央毛部と、側面部の側面毛部と、を有し、前記中央毛部は、前記側面毛部よりも、可撓性が低く形成されている。
【００１０】
好適には、前記中央毛部は、前記側面毛部よりも、断面における断面積が小さく形成されている。
【発明の効果】
【００１１】
本発明における歯磨き具によって、よりブラッシング効率が高い歯磨き具を提供することが可能となった。
【図面の簡単な説明】
【００１２】
【図１】本発明の第１の実施形態に係る歯磨き具を示す説明図である。
【図２】図１の把持部及び歯磨き部の拡大説明図である。
【図３】図２のＩＩＩ−ＩＩＩにおける断面説明図である。より具体的には、台座部の把持部と台座部とをつなぐ方向に対して直角な平面における断面説明図である。
【図４】第２の実施形態の説明図である。
【発明を実施するための形態】
【００１３】
＜第１の実施形態＞
図１は、本発明の第１の実施形態に係る歯磨き具１を示す説明図である。
【００１４】
図１の様に、歯磨き具１は、歯磨き部７、台座部５及び把持部３を有している。
歯磨き部７は、可撓性を有し、ユーザの歯の表面に付着した汚れ等をそぎ落とす・かき出す機能を有している。
この歯磨き部７は、毛形状の毛７ａが複数個（数百本）台座部５に植えられている（固定・連結されている）ことから、ブラシの様な形状を有している（図３等参照のこと）。
もっとも、歯磨き部７は、このように毛形状である必要はなく、可撓性を有していれば、ブロック形状や、板形状であってもよい。材質も、毛のみならず、プラスチック、ゴム、等であって良い。例えば、板状の可撓性の有るプラスチックで形成することも当然に可能である。
【００１５】
台座部５は、板形状を有しており、歯磨き具１の一端を所定の位置に保持する役割を有している。
台座部５の長手方向に連続して把持部３が連結されている。
【００１６】
把持部３は、ユーザが主に握る部分である把持部分３３と、この把持部分３３と、台座部５を連結する部分である延長部３１と、を有している。
把持部分３３は、ユーザが把持しやすい様、及び、ブラッシングしやすい様に、様々な形状を有していてよい。
例えば、全体又は一部をエラストマー構造にすることも可能である。滑り止めに、突起・溝などがあってもよい。
延長部３１は、ユーザの口腔内の唇部分の負荷を減らすため等で、他の部分より、断面を小さく形成している。
【００１７】
図２は、図１の把持部３及び歯磨き部７の拡大説明図である。
【００１８】
図２のように、歯磨き部７は、中央毛部７３と側面毛部７１とを有している。
側面毛部７１は、歯磨き具１の把持部３と台座部５の長手方向における、歯磨き部７の両側の端部が、中央毛部７３よりも、台座部５からの距離が長くなるように形成されている。
同様に、側面毛部７１は、歯磨き具１の把持部３と台座部５の長手方向と直角方向における、歯磨き部７の両側の端部が、中央毛部７３よりも、台座部５からの距離が長くなるように形成されている。
つまり、図２のように、中央毛部７３を側面毛部７１が取り囲む様な形状であり、お椀状又は盆地のような形状となっている。
【００１９】
図３は、図２のＩＩＩ−ＩＩＩにおける断面説明図である。より具体的には、台座部５の把持部３と台座部５とをつなぐ方向に対して直角な平面における断面説明図である。
【００２０】
図３のように、台座部５に、複数の毛の形状の毛７ａを植え付けてある。
より具体的には、複数の毛７ａがまとまって植え付けられた一つの植付部Ａが形成され、その複数の植付部Ａをさらに複数形成して、ブラシの形状を形成している。
そして、この複数の植付部Ａのうち、左右のそれぞれ１つの植付部Ａに植え付けられた毛７ａを、中央付近に植え付けられた毛７ａよりも台座部５よりも長く形成して側面毛部７１が形成されている。
これによって、側面毛部７１の毛７ａは、ユーザの歯の側面（歯ぐき）に到達しやすくしている。
さらに、中央毛部７３の毛７ａは、側面毛部７１の毛７ａよりも可撓性が低い材料にて形成している（つまり、硬い毛７ａで形成している）。
その結果、中央毛部７３は歯の上面に対して比較的強い力で、ブラッシングが可能となり、そこにこびりついた汚れを落とすことが可能となる。
逆に、側面毛部７１は全長が長いうえに、可撓性が高い材料が材料にて形成しているため、歯周ポケット及び歯の隙間に入り込みやすくなっている。
【００２１】
なお、それぞれの毛７ａの断面積は同一である必要はなく、必要に応じて変化させることができる。
具体的には、中央毛部７３は、側面毛部７１よりも、断面における断面積が小さく形成されている。
これによって、側面毛部７１の可撓性をより高くすることができる。
以上の、毛の形状、断面積、材料は上記の内容が現在のところの最適値であり、適宜変更可能である。
【００２２】
＜第２の実施形態＞
図４は、第２の実施形態の説明図である。
【００２３】
図４のように、断面図の左右の方向にのみ側面毛部７１を設け、台座部５の把持部３と台座部５とをつなぐ方向には、側面毛部７１を設けないという構成にしてもよい。
なお、図示していないが、逆に断面図の左右の方向に側面毛部７１を設けず、台座部５の把持部３と台座部５とをつなぐ方向にのみ側面毛部７１を設けるという構成にしてもよい。
これらの場合であっても、中央毛部７３が歯の上の面を磨きつつ、側面毛部７１が歯の側面又は歯ぐきを磨くことが可能となる。
【００２４】
＜他の使用方法＞
発明者は、虫歯菌の繁殖を抑制するために乳酸菌を販売している。
より正確には、口内連鎖球菌である。更に、口内連鎖球菌の乳酸菌は、口内連鎖球菌Ｍ１８である。現在のところ、さらに口内連鎖球菌は、ニュージーランド  ブリステクノロジー社のＢＬＩＳ  Ｍ１８が最適だと判断している。
この乳酸菌に、その増殖を促進等するために、オリゴ糖、エリスリトール等を顆粒上にしたものを販売している。
これらは、顆粒ということで多少大きくしてあるが粉であり、歯磨き上に乗せた場合容易に飛んでいくという状況にある。
しかし、この乳酸菌を含んだ顆粒を歯の全体に塗り込むためには、歯磨き具１に止め置く手段が必要になる。
そのほうほうとして、上記で説明してきた歯磨き具１を利用することが最適である。
つまり、中央毛部７３に、乳酸菌を含んだ顆粒を流し込めば容易に、この顆粒を歯全体に塗り込むことが可能となる。
従って、このような使用をするための専用の歯磨き具１は、単なる歯磨き具１ではなく、顆粒を中央毛部７３に載置保持するための器具となる。
このような器具を、歯磨き具１ではなく、「菌を含んだ粉（顆粒）を塗り込む歯磨き具１」と表現することとする。
【００２５】
＜実施形態の構成及び効果＞
ユーザの歯を磨くために可撓性を有する歯磨き部７と、歯磨き部７を固定する台座部５と、台座部５に接続されている把持部３と、を有し、歯磨き部７は、少なくとも、一方向における断面視で、中央部が側面部よりも台座部５側に低く形成されている。
このような構成を有することから、よりブラッシング効率が高い歯磨き具１を提供することが可能となる。
また、菌を含んだ粉を塗り込む歯磨き具１の専門具として使用した場合には、より確実に菌を含んだ粉を歯全体に行き渡らせることが可能となる。
【００２６】
一方方向における断面視とは、把持部３と台座部５をつなぐ方向に対して直角な平面における断面である。
このような構成を有することから、長手方向に移動してブラッシングをすることが多い、歯磨き具１において、より確実に歯の側面及び歯ぐきにもブラッシングの効率を上げることができる。
【００２７】
歯磨き部７は、中央部がそれを取り囲む全ての周辺部よりも台座部５側に低く形成された、お椀状の形状をしている。
このような構成を有することから、より確実に歯の側面及び歯ぐきにもブラッシングの効率を上げることができる。
菌を含んだ粉を塗り込む歯磨き具１の専門具として使用した場合には、粉をより確実に載置し続けることができる。
【００２８】
歯磨き部７は、複数の毛形状の可撓性部材である毛７ａから形成されており、歯磨き部７は、中央部の中央毛部７３と、側面部の側面毛部７１と、を有し、中央毛部７３は記側面毛部よりも、可撓性が低く形成されている。
このような構成を有することから、歯周ポケット等にブラッシングをすることの効率が高くすることができる。
菌を含んだ粉を塗り込む歯磨き具１の専門具として使用した場合には、この粉が台座部５側に落ち込むことを防ぐことができる。
【００２９】
中央毛部７３は、側面毛部７１よりも、断面における断面積が小さく形成されている。
このような構成を有することから、側面毛部７１の可撓性をより高くすることができる。
【００３０】
本発明の、構造、材料、各部材の連結、などは、本発明の要旨を変更しない範囲で、様々に変更可能である。
材質も、金属、プラスチック、ＦＲＰ、木材、コンクリート等を自由に選択することが可能である。
例えば、２つ以上の部材を１つにすることも可能であるし、逆に、１つの部材を２つ以上の別の部材から構成して接続することも可能である。
また、上記実施形態は、あくまでも、現在のところの最良の形態の１つにすぎない。
【００３１】
＜定義等＞
本発明における歯磨き具１は、歯を磨く等のケアができるものであればどのようなものであってもよい。
本発明における歯磨き具１の一例がいわゆる歯ブラシである。
【符号の説明】
【００３２】
１      ：歯磨き具
３      ：把持部
５      ：台座部
７      ：部
７ａ    ：毛
３１    ：延長部
３３    ：把持部分
７１    ：側面毛部
７３    ：中央毛部
Ａ      ：植付部
【図１】
2019024739.tif 000003
【図２】
2019024739.tif 000004
【図３】
2019024739.tif 000005
【図４】
2019024739.tif 000006